(57)【要約】【課題】  光ディスクビデオレコーダ全体を制御するＣＰＵがハングアップするとＣＰＵ制御される入力ボタンの受付ができなくなり、トレイ開閉ボタンも受け付けられず、光ディスクドライブのイジェクトボタンは外部に露出していないので操作できないため、光ディスクを取り出すためには分解せねばならないという問題があった。【解決手段】  ディスクトレイを開閉するためのイジェクトボタンと前記イジェクトボタンを制御指示する制御手段１とを備えた光ディスクドライブと、前記ディスクトレイを開閉させるためのトレイ開閉ボタンと、前記トレイ開閉ボタンからの入力に対し前記ディスクトレイの開閉を制御するための制御手段２とを備えた電子機器において、本電子機器の筐体内に配置された前記光ディスクドライブの前記イジェクトボタンを外部から操作する手段を設けたことを特徴とする。【選択図】  図１
2006318556.tif 000002
【特許請求の範囲】
【請求項１】
ディスクトレイを開閉するためのイジェクトボタンと前記イジェクトボタンを制御指示する制御手段１とを備えた光ディスクドライブと、前記ディスクトレイを開閉させるためのトレイ開閉ボタンと、前記トレイ開閉ボタンからの入力に対し前記ディスクトレイの開閉を制御するための制御手段２とを備えた電子機器であって、
電子機器の筐体内に配置された前記光ディスクドライブの前記イジェクトボタンを電子機器の外部から操作する手段を設けたことを特徴とする電子機器。
【請求項２】
請求項１記載の電子機器において、前記トレイ開閉ボタンからの入力に対し、前記制御手段２が応答しない場合は、前記イジェクトボタンからの入力により前記ディスクトレイが開閉することを特徴とする電子機器。
【請求項３】
請求項１乃至２のいずれかに記載の電子機器において、前記イジェクトボタンは電子機器の筐体内部に配置され、前記イジェクトボタンを押すための部材を前記筐体に設けた貫通穴の背後に配置したことを特徴とする電子機器。
【請求項４】
請求項１乃至３のいずれかに記載の電子機器において、前記イジェクトボタンは前記ディスクトレイの下方部に配置され、前記貫通穴は前記光ディスクドライブの前面以外に配置されていることを特徴とする電子機器。
【発明の詳細な説明】
【技術分野】
【０００１】
本発明は、光ディスクドライブを搭載した電子機器に関する。
【背景技術】
【０００２】
従来技術として光ディスクドライブのディスクトレイ下方部に配置されたイジェクトボタンを用いてディスクトレイの開閉を制御する装置がある。このような従来技術では、情報処理装置において、光ディスクドライブのディスクトレイの下方部にあるイジェクトボタンの前面に情報処理装置の筐体の一端で支持されたアーム部を配置し、このアーム部の他端をディスクトレイの下方部以外の場所で情報処理装置の筐体より露出させ開閉ボタンとする技術がある。このように、光ディスクドライブのイジェクトボタンを装置のトレイ開閉ボタンとして使用するとともに、装置としてのトレイ開閉ボタンをディスクトレイ下方部とは別の場所にして、ディスクトレイを開いた時にもトレイ開閉ボタンの操作性が損なわれないようにしている。例えば、特許文献１参照。
【０００３】
また、光ディスクドライブの筐体に設けた貫通穴からピン等を使用し、ディスク排出機構を操作して光ディスクを強制的に排出可能としているものとして、例えば、特許文献２がある。
【０００４】
【特許文献１】特開２００１−０６７７６０号公報
【特許文献２】特開２００４−３１０８１３号公報
【発明の開示】
【発明が解決しようとする課題】
【０００５】
近年、ＤＶＤ（ＤｉｇｉｔａｌＶｅｒｓａｔｉｌｅ  Ｄｉｓｃ）を記録媒体として、映像音声を記録再生する光ディスクビデオレコーダ等の電子機器が登場し、記録した映像音声の劣化が少ないことや、検索性のよさで市場が増大している。
【０００６】
通常、光ディスクドライブは、光ディスクドライブに内蔵された制御手段により制御される光ディスク出し入れのためのイジェクトボタンを備えている。そこで、光ディスクビデオレコーダ等の電子機器には、パソコン等の他の機器との共用化を図るため、イジェクトボタンを備えた光ディスクドライブをそのまま使用するのが一般的である。
【０００７】
このような電子機器では、光ディスクドライブのイジェクトボタンを光ディスク出し入れするためのディスクトレイ開閉用には使用せず、トレイ開閉ボタンを新たに設け、電子機器全体を制御する制御手段であるＣＰＵ（Ｃｅｎｔｒａｌ  Ｐｒｏｃｅｓｓｉｎｇ  Ｕｎｉｔ）によりディスクトレイの開閉制御をするものが一般的である。
【０００８】
従来の一般的な光ディスクドライブを搭載した光ディスクビデオレコーダの構成を、図６を用いて以下説明する。図６は、従来技術の光ディスクビデオレコーダのブロック図である。筐体１２を持つ光ディスクビデオレコーダ１は、光ディスクドライブ２、本レコーダ全体の制御を行うメインＣＰＵ３、筐体外部に露出したディスクトレイを開閉するためのトレイ開閉ボタン４、トレイ開閉ボタン４を押したことを検知するための開閉スイッチ５とから構成されている。さらに光ディスクドライブ２は、光ディスク（図示せず）を出し入れイするために開閉するディスクトレイ６、光ディスクドライブ２に設けられているディスクトレイ６を開閉するためのイジェクトボタン７、イジェクトボタン７を押したことを検知するためのイジェクトスイッチ８、光ディスクドライブ２全体を制御する制御手段であるドライブＣＰＵ９、ディスクトレイ６を開閉動作するためのモータ１１及びモータ１１を駆動するためのドライブ回路１０とから構成されている。
【０００９】
ここで、イジェクトボタン７は筐体１２内部にあり外部には露出していないので、ディスクトレイ６を開閉するためには、外部に露出しているトレイ開閉ボタン４を使用する。トレイ開閉ボタン４が押されると、開閉スイッチ５が押されたことをメインＣＰＵ３で検知し、メインＣＰＵ３は現在の処理を中断または終了し光ディスク（図示せず）を停止させ、ディスクトレイ６を開くための指示情報をドライブＣＰＵ９に送る。ドライブＣＰＵ９ではドライブ回路１０を介してモータ１１を駆動し、ディスクトレイ６を開く。これにより、光ディスク（図示せず）の取出しが可能となる。
【００１０】
最近になり、光ディスクビデオレコーダ等の電子機器は検索性のよさに伴い多機能化が進められ、電子機器を制御するＣＰＵの処理が膨大なものになってきており、ＣＰＵがハングアップする場合が増えている。光ディスクドライブを搭載した電子機器においては、このようにＣＰＵがハングアップした場合でも、光ディスクを取出すことが、光ディスクの保護及びユーザサービス上重要となっている。
【００１１】
ここで、光ディスクドライブ用のＣＰＵと電子機器全体制御用のＣＰＵを備えた光ディスクビデオレコーダ等の電子機器では、電子機器全体制御用のＣＰＵはハングアップしても光ディスクドライブ用のＣＰＵは動作可能の場合があり、その場合は光ディスクドライブのイジェクトボタンを押すことによって、光ディスクを排出することが可能となる。
【００１２】
しかしながら、上記したトレイ開閉ボタンを新たに設け光ディスクビデオレコーダ全体を制御するＣＰＵによりディスクトレイの開閉を制御する場合、ＣＰＵがハングアップするとＣＰＵ制御される入力ボタンの受付ができなくなり、トレイ開閉ボタンも受け付けられず、光ディスクドライブのイジェクトボタンは外部に露出していないので操作できないため、光ディスクを取り出すためには分解せねばならないという問題があった。
【００１３】
さらに光ディスクビデオレコーダの前面は表示部等の意匠部品が配置されたり、デザイン的に光ディスクドライブの貫通穴のある面を外部に露出することができないことが有り、ピンによる強制排出が出来ないという問題があった。
【課題を解決するための手段】
【００１４】
上記課題は特許請求範囲に記載の発明により達成できる。
【発明の効果】
【００１５】
本発明によれば、機器用ＣＰＵがハングアップした場合でも、光ディスクを取出すことが出来き操作性が向上する。
【発明を実施するための最良の形態】
【００１６】
本発明による電子機器であるＤＶＤレコーダについて、図を用いて説明する。
【００１７】
本発明の実施例による光ディスクドライブを搭載した光ディスクビデオレコーダの構成を、図１を用いて説明する。図１は、本実施例による光ディスクビデオレコーダのブロック図である。
【００１８】
筐体１５を持つ光ディスクビデオレコーダ１は、光ディスクドライブ２、本レコーダ全体の制御を行うメインＣＰＵ３、筐体外部に露出したディスクトレイを開閉するためのトレイ開閉ボタン４、トレイ開閉ボタン４を押下したことを検知するための開閉スイッチ５とから構成されている。さらに光ディスクドライブ２は、光ディスク（図示せず）を出し入れイするために開閉するディスクトレイ６、光ディスクドライブ２に設けられているディスクトレイ６を開閉するためのイジェクトボタン７、イジェクトボタン７を押下したことを検知するためのイジェクトスイッチ８、光ディスクドライブ２全体を制御する制御手段であるドライブＣＰＵ９、ディスクトレイ６を開閉動作するためのモータ１１及びモータ１１を駆動するためのドライブ回路１０とから構成されている。筐体１５には貫通穴１３が設けられており、貫通穴１３の背後にはイジェクトボタン７を押すためのイジェクト部材１４が配置されている。
【００１９】
ここで、メインＣＰＵ３がハングアップした場合、トレイ開閉ボタン４を押下して開閉スイッチ５がＯＮとなっても、メインＣＰＵ３がハングアップしているため、これ以上の制御動作が行われず、ディスクトレイ６は開かず光ディスクを取出すことが出来ない。この場合、本発明の実施例では、ハングアップしていないドライブＣＰＵ９を用いてディスクトレイ６の開動作をさせることが出来るようになっている。すなわち、貫通穴１３からピン等を使用して、貫通穴１３の背後に配置されているイジェクト部材１４を押下することによりイジェクトボタン７が押され、イジェクトスイッチ８のＯＮをドライブＣＰＵ９が検知し、ドライブＣＰＵ９は光ディスク（図示せず）を停止させた後、ドライブ回路１０を介してモータ１１を駆動しディスクトレイ６を開き外部に排出する。これにより、メインＣＰＵ３がハングアップしても光ディスク（図示せず）の取出すことが出来る。
【００２０】
本実施例では、イジェクトボタン７は筐体表面に露出させず、通常状態では誤って押されることがない構成としている。これは、本レコーダが動作中に誤ってイジェクトボタン７が押された場合、ドライブＣＰＵ９からメインＣＰＵ３に動作中断等の割り込み処理等の特別な処理を追加する必要が発生し、両ＣＰＵの処理負担が大きくなってしまうことを回避させるためである。また、貫通穴１３もピンが通るだけの小さくすることにより、目立ちにくくデザイン上の妨げにならないようにしている。
【００２１】
尚、光ディスクビデオレコーダには、光ディスクに記録または再生するための手段や放送信号を受信するための受信手段等他の手段があるが、本実施例のブロック図では説明を省略している。
【００２２】
次に、ディスクトレイ６を開き、光ディスクを取出すための処理の流れを、図２を用いて説明する。図２は、本実施例によるイジェクト動作のフローチャートである。
【００２３】
まず、通常動作時のイジェクト動作について説明する。通常動作状態で、ステップＳ２０１でトレイ開閉ボタン４を押下すると、ステップ２０２で開閉スイッチ５がＯＮし、ステップＳ２０３でメインＣＰＵ３が開閉スイッチ５がＯＮしたことを検知する。ステップ２０４で、現在の動作状態を判断し、光ディスクが動作していない場合は（ＮＯ）、ステップＳ２０７でメインＣＰＵ３がドライブＣＰＵ９へイジェクト動作を指示する。ステップＳ２０４で光ディスクが動作している場合は（ＹＥＳ）、ステップＳ２０５でメインＣＰＵ３がドライブＣＰＵ９へ光ディスクドライブ２の停止を指示し、ステップＳ２０６で光ディスクが停止しているかを判断する。光ディスクが停止している場合は（ＹＥＳ）、ステップＳ２０７でメインＣＰＵ３がドライブＣＰＵ９へイジェクト動作を指示する。ステップＳ２０８でドライブＣＰＵ９がドライブ回路１０をＯＮしモータ１１を駆動し、ステップＳ２０９でモータ１１を回転させる。ステップＳ２１０でモータ１１の回転によりディスクトレイ６が開き外部に排出されるので、光ディスクを取出すことが出来る。
【００２４】
次に、メインＣＰＵ３がハングアップした時の強制イジェクト動作について説明する。メインＣＰＵ３がハングアップしていると、ステップ２０１でトレイ開閉ボタン４を押下しステップ２０２で開閉スイッチ５がＯＮしても、ステップＳ２０３でメインＣＰＵ３は開閉スイッチ５がＯＮしたことを検知せずこれ以降の動作はなされない。この場合は、貫通穴１３よりピン等を使用して、ステップ２１１でイジェクト部材１４を押す操作をすると、ステップＳ２１２でイジェクトボタン７が押下され、ステップＳ２１３でイジェクトスイッチ７がＯＮする。
【００２５】
ステップＳ２１４でドライブＣＰＵ９がイジェクトスイッチ７がＯＮしたことを検知し、ステップＳ２１５でドライブＣＰＵ９がメインＣＰＵ３からの制御指示による制御動作を中断し光ディスクの動作停止処理を開始してステップＳ２０８へ進み、ドライブ回路１０をＯＮさせステップＳ２０９でモータ１１を回転させ、ステップＳ２１０でモータ１１の回転によりディスクトレイ６が開き外部に排出される。このように、本実施例によれば、メインＣＰＵ３がハングアップした場合でも、強制的にディスクトレイ６を開き外部に排出して光ディスクを取出すことが出来る。
【００２６】
次に、本実施例による光ディスクビデオレコーダにおける光ディスクドライブ２のイジェクトボタン７を外部から操作する手段の構造を、図３〜図５を用いて説明する。図３は、本実施例による光ディスクビデオレコーダの前面分解図である。
【００２７】
光ディスクビデオレコーダ１の筐体１５は、フロントケース１５ａ、トップカバー１５ｂ及びその他の筐体から箱型を形成している。箱型の筐体内部の中央付近にはイジェクトボタン７を備えた光ディスクドライブ２が配置され、その右側にはトレイ開閉スイッチ５を搭載しているフロント基板１７が配置されている。また、フロントケース１５ａには、開閉するドア１５ｃが備えられており、ドア１５ｃを開けた面に貫通穴１３が空けられている。貫通穴１３の背後にはイジェクトボタン７を押すためのイジェクト部材１４が配置されており、ピン１６を貫通穴１３を通してイジェクト部材１４を押すとイジェクトボタン７が押下される配置となっている。
【００２８】
ここで、イジェクトボタン７はディスクトレイ６の下方部に配置されており、その前面のフロントパネル前面部１５ｄは外観デザイン面であり穴を空けられないため、イジェクト部材１４によりピン１６を通す貫通穴１３の位置がディスクトレイ６の下方部とならない横の位置となるようにしている。そのため、デザイン上の制約を回避するとともにピン１６によるディスクトレイ６を開く時の操作性が改善されている。
【００２９】
また、本実施例では、ドア１５ｃにより貫通穴１３が隠れるようになっており、さらにデザイン上の制約も回避できるようになっている。
【００３０】
さらに、イジェクトボタン操作部の構造について、図４を用いて詳細に説明する。図４は、本実施例による光ディスクビデオレコーダのイジェクトボタン操作部拡大図である。
【００３１】
イジェクト部材１４は、イジェクトボタン７を押すためのイジェクト部材Ｌ部１４ａを備え、フロントケース１５ａに２つのボス穴１４ｂにより固定されている。さらに、トレイ開閉ボタン４も１つの部材として形成され、フロントケース１５ａの穴から外部に露出している。
【００３２】
ここで、トレイ開閉ボタン４を押下すると、支点４ａを中心としてトレイ開閉ボタン押下方向にトレイ開閉ボタン４が動き、トレイ開閉ボタン４の背面にあるボス（図示せず）によりフロント基板１７に配置された開閉スイッチ５を押しＯＮさせる。また、貫通穴１３を通してピン１６でピン操作方向にイジェクト部材操作部１４ｃを押すと、支点１４ｄを中心としてイジェクト部材１４ａがイジェクト部材Ｌ部押下方向に動き、イジェクトボタン７を押す。このように、支点１４ｄを中心とした回転を利用して、押下位置をずらせて、貫通穴１３をディスクトレイ６の下方部にならないようにしているので、ディスクトレイ６を開く時の操作性が改善されている。
【００３３】
本実施例ではトレイ開閉ボタン４とイジェクト部材１４とを１つの部材で形成しているのでコストアップを少なくするように配慮している。ここで、トレイ開閉ボタン４とイジェクト部材１４とを別の部材として形成しても構わない。
【００３４】
さらに、イジェクトボタン操作部の位置関係について、図５を用いて説明する。図５は、本実施例による光ディスクビデオレコーダのイジェクトボタン操作部上面図である。
【００３５】
イジェクト部材１４はフロントケース１５ａに固定されており、貫通穴１３を通してピン１６により、イジェクト部材操作部１４ｃをピン操作方向に押すと、支点１４ｄを中心としてイジェクト部材Ｌ部１４ａがイジェクト部材Ｌ部押下方向へ動き、イジェクトボタン７を押す。このように、支点１４ｄを中心とした回転を利用して、押下位置をずらせて、貫通穴１３をディスクトレイ６の下方部にならないようにしているので、ディスクトレイ６を開く時の操作性が改善されている。
【００３６】
本実施例は、ディスクトレイを開閉するためのイジェクトボタンと前記イジェクトボタンを制御指示する制御手段１とを備えた光ディスクドライブと、前記ディスクトレイを開閉させるためのトレイ開閉ボタンと、前記トレイ開閉ボタンからの入力に対し前記ディスクトレイの開閉を制御するための制御手段２とを備えた電子機器において、本電子機器の筐体内に配置された前記光ディスクドライブの前記イジェクトボタンを外部から操作する手段を設けたことを特徴とする。
【００３７】
これにより、本電子機器全体を制御する機器用ＣＰＵの動作に関係なく、光ディスクドライブのイジェクトボタン及びドライブ用ＣＰＵの制御により光ディスクを取出すことが出来る。
【００３８】
さらに、前記トレイ開閉ボタンからの入力に対し、前記制御手段２が応答しない場合は、前記イジェクトボタンからの入力により前記ディスクトレイが開およびまたは閉することを特徴とする。これにより、本電子機器全体を制御する機器用ＣＰＵがハングアップした場合でも、動作可能な光ディスクドライブのイジェクトボタン及びドライブ用ＣＰＵの制御により光ディスクを取り出すことが出来る。
【００３９】
さらに、前記イジェクトボタンは本電子機器の筐体内部に配置されており、前記イジェクトボタンを押すためのイジェクト部材を前記筐体に設けた貫通穴の背後に配置したことを特徴とする。これにより、イジェクトボタンは筐体で隠れているため、通常時はトレイ開閉ボタンにより光ディスクを排出し、本電子機器全体を制御する機器用ＣＰＵがハングアップした異常時のみ、貫通穴よりピンを差し込んでイジェクト部材を押すことによりイジェクトボタンを押して光ディスクを取出すことが出来る。また、貫通穴は小さく、目立ちにくいので、デザイン上も妨げになりにくい。
【００４０】
さらに、前記イジェクトボタンは前記ディスクトレイの下方部に配置され、前記貫通穴は前記ディスクトレイの下方部以外に配置されていることを特徴とする。これにより、光ディスクドライブの前面に表示部等の意匠部品が配置されたり、デザイン的に光ディスクドライブの貫通穴のある面を外部に露出できない場合でも、光ディスクドライブの横の位置に配置した貫通穴からピンによりイジェクト部材を押すことによりイジェクトボタンを押すことが可能となり、操作性よく光ディスクを取出すことが出来る。
【図面の簡単な説明】
【００４１】
【図１】本発明の実施例による光ディスクビデオレコーダのブロック図
【図２】本発明の実施例によるイジェクト動作のフローチャート
【図３】本発明の実施例による光ディスクビデオレコーダの前面分解図
【図４】本発明の実施例による光ディスクビデオレコーダのイジェクトボタン操作部拡大図
【図５】本発明の実施例による光ディスクビデオレコーダのイジェクトボタン操作部上面図
【図６】従来技術の光ディスクビデオレコーダのブロック図
【符号の説明】
【００４２】
１…光ディスクビデオレコーダ、２…光ディスクドライブ、３…メインＣＰＵ、
４…トレイ開閉ボタン、４ａ…支点Ａ、５…開閉スイッチ、６…ディスクトレイ、
７…イジェクトボタン、８…イジェクトスイッチ、９…ドライブＣＰＵ、
１０…ドライブ回路、１１…モータ、１２、１５…筐体、１３…貫通穴、
１４…イジェクト部材、１４ａ…イジェクト部材Ｌ部、１４ｂ…ボス穴、
１４ｃ…イジェクト部材操作部、１４ｄ…支点Ｂ、１５ａ…フロントケース、
１５ｂ…トップカバー、１５ｃ…ドア、１５ｄ…フロントパネル前面部、１６…ピン、
１７…フロント基板、
【図１】
2006318556.tif 000003
【図２】
2006318556.tif 000004
【図３】
2006318556.tif 000005
【図４】
2006318556.tif 000006
【図５】
2006318556.tif 000007
【図６】
2006318556.tif 000008